(57)【要約】      （修正有）【課題】人体の体温を全体的に下げ、熱中症を予防する効果があり、しかも野外での労働時や運動時の活動を妨げることがない保冷腕袋を提供する。【解決手段】前腕と上腕を覆う長さを有する筒状の袖部１０を有し、袖部１０における長手方向に沿い、かつ上肢を曲げたときの内側となる面に保冷部２０が形成されており、保冷部２０は吸水保持性を有している。袖部１０の前端には、手を覆うことができる筒状の手覆部を一体に接続してもよい。保冷腕袋Ａを水に浸し軽く絞った後に上肢に着用すれば、気化熱の効果により上肢を走っている動脈と静脈を冷やすことができる。【選択図】図１
0003173338.tif 000002
【実用新案登録請求の範囲】
【請求項１】
少なくとも前腕の一部を覆う長さの筒状の袖部を有し、
前記袖部に保冷部が形成されており、
該保冷部は水を吸水して保持する吸水保持性を有する
ことを特徴とする保冷腕袋。
【請求項２】
前記保冷部が、前記袖部における長手方向に沿い、かつ上肢を曲げたときの内側となる面に形成されている
ことを特徴とする請求項１記載の保冷腕袋。
【請求項３】
前記保冷部が、前記袖部における長手方向に沿い、かつ上肢を曲げたときの外側となる面に形成されている
ことを特徴とする請求項１記載の保冷腕袋。
【請求項４】
前記保冷部が、前記袖部における長手方向に沿い、かつ上肢の側面に形成されている
ことを特徴とする請求項１記載の保冷腕袋。
【請求項５】
前記保冷部が、前記袖部の適所に輪状に形成されている
ことを特徴とする請求項１記載の保冷腕袋。
【請求項６】
前記袖部の前端には、手を覆うことができる筒状の手覆部が一体に接続されている
ことを特徴とする請求項１記載の保冷腕袋。
【請求項７】
前記手覆部は筒状であり、
該手覆部の側部には親指を通すように指孔が開口している
ことを特徴とする請求項１または２記載の保冷腕袋。
【請求項８】
前記手覆部は、手を覆うことができる手袋状に形成されている
ことを特徴とする請求項１または２記載の保冷腕袋。
【請求項９】
前記袖部は、前腕と上腕の一部を覆う長さの筒状体である
ことを特徴とする請求項１、２または３記載の保冷腕袋。
【請求項１０】
前記袖部は、手首部分を覆う長さの筒状体である
ことを特徴とする請求項１、２または３記載の保冷腕袋。
【請求項１１】
前記保冷部に保冷剤保持用のポケットが形成されている
ことを特徴とする請求項１、２，３，４，５または６記載の保冷腕袋。
【考案の詳細な説明】
【技術分野】
【０００１】
本考案は、保冷腕袋に関する。さらに詳しくは、野外での肉体労働やスポーツ活動時に体温を上昇しすぎないように保つ保冷腕袋に関する。
【背景技術】
【０００２】
野外で夏期に、肉体労働したりスポーツ活動するときは、体温が上昇しやすいので熱中症にかかりやすいという問題があった。
従来、熱中症予防や冷感を得るものとして保冷バンドがあった（実用新案文献１）。
この保冷バンドは帯状の布に吸水性をもたせたり、さらに保冷剤を保持するポケットを形成したものである。そして、使用の際は、首に巻いたり頭に巻いて、首や頭を低温に保持するものである。
【０００３】
しかるに、図８の人体血管図に示すように、人体の頭部表面には大きな血管が走っておらず首には動脈と静脈が走っているが長さが短いものでしかない。
したがって、保冷バンドで頭や首を冷やしたとしても、その効果は薄く、屋内でのデスクワークで冷感を得ることはできても、野外で体全体の体温を下げる効果はほとんど期待できない。
【先行技術文献】
【特許文献】
【０００４】
【特許文献１】実用新案登録第３１４８５２５号
【考案の概要】
【考案が解決しようとする課題】
【０００５】
本考案は上記事情に鑑み、人体の体温を全体的に下げる効果があり、しかも野外での労働時や運動時の活動を妨げることがない保冷腕袋を提供することを目的とする。
【課題を解決するための手段】
【０００６】
第１考案の保冷腕袋は、少なくとも前腕の一部を覆う長さの筒状の袖部を有し、前記袖部に保冷部が形成されており、該保冷部は水を吸水して保持する吸水保持性を有する
ことを特徴とする。
第２考案の保冷腕袋は、第１考案において、前記保冷部が、前記袖部における長手方向に沿い、かつ上肢を曲げたときの内側となる面に形成されていることを特徴とする。
第３考案の保冷腕袋は、第１考案において、前記保冷部が、前記袖部における長手方向に沿い、かつ上肢を曲げたときの外側となる面に形成されていることを特徴とする。
第４考案の保冷腕袋は、第１考案において、前記保冷部が、前記袖部における長手方向に沿い、かつ上肢の側面に形成されていることを特徴とする。
第５考案の保冷腕袋は、第１考案において、前記保冷部が、前記袖部の適所に輪状に形成されていることを特徴とする。
第６考案の保冷腕袋は、第１考案において、前記袖部の前端には、手を覆うことができる筒状の手覆部が一体に接続されていることを特徴とする。
第７考案の保冷腕袋は、第１または第２考案において、前記手覆部は筒状であり、該手覆部の側部には親指を通すように指孔が開口していることを特徴とする。
第８考案の保冷腕袋は、第１または第２考案において、前記手覆部は、手を覆うことができる手袋状に形成されていることを特徴とする。
第９考案の保冷腕袋は、第１、第２または第３考案において、前記袖部は、前腕と上腕の一部を覆う長さの筒状体であることを特徴とする。
第１０考案の保冷腕袋は、第１、第２または第３考案において、前記袖部は、手首部分を覆う長さの筒状体であることを特徴とする。
第１１考案の保冷腕袋は、第１、第２、第３、第４、第５または第６考案において、前記保冷部に保冷剤保持用のポケットが形成されていることを特徴とする。
【考案の効果】
【０００７】
第１考案によれば、保冷腕袋を水に浸し軽く絞った後に上肢に着用すれば、吸水した水が蒸発するときの気化熱により上肢を走っている動脈と静脈を冷やすことができる。上肢を通る動脈と静脈は長く、ここを通る血液を冷却しつづけることで、充分に冷却された血液が体全体を循環し、体温を下げる効果が高くなる。このため、熱中症を予防できる。
第２考案によれば、上肢を曲げたときの内側に多くの血管が皮膚表面近くにあるので、冷却効果が高くなる。
第３考案によれば、日光に当って熱を持ちやすい部分を冷却できるので、人に心地良さを感じさせることができる。
第４考案によれば、日光に当りやすく、しかも袖部の伸び縮みが少ない部分を冷却できるので、腕を良く動かすときでも、腕を冷やしやすい。
第５考案によれば、腕の血管を腕の外表面からまんべんなく冷却できるので、冷却効果が高い。
第６考案によれば、手覆部を付けることによって腕袋の長さが長くなり保冷部も長くできるので、冷却効果が高くなる。
第７考案によれば、手覆部の指孔に親指を通すと腕袋全体が手の動きに追随してズレ落ちることがなく、労働時や運動時に激しく腕を動かしても上肢を冷却できる。
第８考案によれば、手袋状の手覆部に手を入れると腕袋全体が手の動きに追随してズレ落ちることがなく、労働時や運動時に激しく腕を動かしても上肢を冷却できる。
第９考案によれば、前腕と上腕の一部を走る長い動脈と静脈を冷やすことができるので、充分に冷却された血液が体全体を循環し、体温を下げる効果が高くなる。このため、熱中症を予防できる。
第１０考案によれば、袖部の長さが第５考案より短いが、手首部を走る動脈と静脈は太く皮膚表面に近いので冷やしやすく、体温を下げる効果を有する。しかも、人が長袖の衣服を着用していても保冷腕袋の着用がしやすいという利点がある。
第１１考案によれば、保冷剤のポケットに冷やした保冷剤を入れることにより、より強力に上肢を通る血管を冷やすことができ、また、より長時間冷却効果を持続させることができる。
【図面の簡単な説明】
【０００８】
【図１】本考案の第１実施形態に係る保冷腕袋Ａの説明図である。
【図２】図１のII−II線断面図である。
【図３】本考案の第２実施形態に係る保冷腕袋Ｂの説明図である。
【図４】本考案の第３実施形態に係る保冷腕袋Ｃの説明図である。
【図５】本考案の保冷腕袋Ｂの使用状態説明図である。
【図６】本考案の第４実施形態に係る保冷腕袋Ｄの説明図である。
【図７】本考案の第５実施形態に係る保冷腕袋Ｅの説明図である。
【図８】人体の血管の説明図である。
【考案を実施するための形態】
【０００９】
（本考案の技術思想）
まず、図８に基づき、人体の上肢部分の血管を説明しておくと、前腕ｆｍと上腕ｕｍを通して太い動脈と静脈が走っている。これらの血管の長さは当然ながら前腕ｆｍと上腕ｕｍを合わせた上肢ａｍの長さに匹敵する長いものである。
本考案では、この長い血管を流れる血液を冷やせば大量の血液を冷やせることとなり、その結果、体全体の体温を効果的に下げうることに着目したものである。
【００１０】
つぎに、本考案の実施形態を図面に基づき説明する。
（第１実施形態）
図１に示すように、本実施形態の保冷腕袋Ａは、前腕と上腕を覆う長さを有する筒状の袖部１０を有し、この袖部１０における長手方向に沿い、かつ上肢を曲げたときの内側となる面に保冷部２０が形成されたものである。そして、保冷部２０には水を吸水して保持する吸水保持性を有している。
【００１１】
袖部１０の素材は特に限定はないが、吸水性があり、かつ速乾性に優れた布地を用いることが好ましい。速乾性繊維の布としては、例えば「クールマックス」（登録商標）が挙げられる。
【００１２】
袖部１０は、図２の断面図に示すように、２枚の長い帯布１１，１２を重ねてその縁を縫い合わせることにより形成されている。もちろん、一枚の帯布を折り返して同様の形状になるように縫い合わせてもよい。袖部１０の幅寸法および長さ寸法は前腕ｆｍと上腕ｕｍの一部を通すに足る寸法であり、例えば幅寸法が７〜１０ｃｍ程度、長さ寸法が４０〜６０ｃｍ程度である。
【００１３】
一方、保冷部２０は、袖部１０の表面に帯状の布２１を重ねて縫い付けたものである。保冷部２０の幅寸法は袖部１０の幅寸法より小さく、長さ寸法も袖部１０よりも短いが、その長さは任意である。
この保冷部２０の形成部位は、袖部１０における長手方向に沿い、かつ上肢を曲げたときの内側である。
【００１４】
前記保冷部２０は吸水保持性を有している。吸水保持性をもたせるには、布の繊維自体に吸水性繊維を用いてもよく、布にキルティング加工して小さな収容部を沢山作り、各収容部に粒状の吸水性樹脂３１を封入してもよい。吸収性繊維の布としては、例えば「ベルオアシス」（登録商標）が挙げられる。
【００１５】
本実施形態によれば、上肢を曲げたときの内側に多くの血管が皮膚表面近くにあるので、冷却効果が高くなる。
【００１６】
（第２実施形態）
図３は本考案の第２実施形態に係る保冷腕袋Ｂの外観図である。
第１実施形態の構成と同じ同一部材には同一符号を付して説明を省略する。
第２実施形態では、前記袖部１０の前端に、手を覆うことができる筒状の手覆部１５が一体に接続されている。この手覆部１５を付けることによって腕袋の長さが長くなり保冷部２０も長くできるので、冷却効果が高くなる。
そして、手覆部１５の筒状の側部には親指を通せるように指孔１６が開口している
【００１７】
第２実施形態の保冷腕袋Ｂでは、図５に示すように、袖部２に人の前腕と上腕を通し、手覆部３に手を通す。手覆部３の開口１６から親指を出す。こうすることで、保冷腕袋Ｂ全体を弛ませることなく腕に装着することができる。このため、腕袋全体が手の動きに追随してズレ落ちることがなく、労働時や運動時に激しく腕を動かしても上肢を冷却できる。
【００１８】
（第３実施形態）
図４は本考案の第３実施形態に係る保冷腕袋Ｃの外観図である。
第１実施形態の構成と同じ同一部材には同一符号を付して説明を省略する。
第３実施形態では、袖部１０の前端に手を挿入できる手袋状の手覆部１５が一体に接続されている。
この手覆部１５を付けることによって腕袋の長さが長くなり保冷部２０も長くできるので、冷却効果が高くなる。
【００１９】
第３実施形態の保冷腕袋Ｃでも、図５に示すように、袖部２に人の前腕と上腕を通し、手覆部１５の手袋に手を入れる。こうすることで、保冷腕袋Ｃ全体を弛ませることなく腕に装着することができる。このため、腕袋全体が手の動きに追随してズレ落ちることがなく、労働時や運動時に激しく腕を動かしても上肢を冷却できる。
【００２０】
（第４実施形態）
図６は本考案の第４実施形態に係る保冷腕袋Ｄの外観図である。
本実施形態では、袖部１０の表裏両面に保冷部２０を形成している。つまり、上肢を曲げたときの内側となる面に加え、外側となる面にも保冷部２０を形成したものである。
この実施形態であると、冷却効果がより高くなる。また、第３考案によれば、日光に当って熱を持ちやすい部分を冷却できるので、人に心地良さを感じさせることができる。
【００２１】
なお、袖部１０の側面、つまり上肢を曲げたときの内側と外側となる面以外の側面に保冷部２０を取付けたものも本考案に含まれる。この場合、一方の側面だけに保冷部２０を設けたものも、両方の側面に保冷部２０を設けたものでもよい。本実施例によれば、日光に当りやすく、しかも袖部の伸び縮みが少ない部分を冷却できるので、腕を良く動かすときでも、腕を冷やしやすい。
【００２２】
（第５実施形態）
図７は本考案の第５実施形態に係る保冷腕袋Ｅの外観図である。
本実施形態は、袖部１０の周りに輪状の保冷部２０を取付けたものである。保冷部２０の形状は完全につながった輪状のほか、一部がつながっていない輪状であってもよい。輪状の保冷部２０の形成箇所は、手前部分や肘の前と後の３ヵ所を例示できるが、これに限られることなく、少なくとも１箇所あればよく、任意の２ヵ所以上を設けたものも本考案に含まれる。
本実施形態によれば、腕の血管を腕の外表面からまんべんなく冷却できるので、冷却効果が高い。
【００２３】
（他の実施形態）
（ア）前記第１〜第３実施形態の保冷腕袋Ａ、Ｂ、Ｃ、Ｄ、Ｅでは、各袖部１０は長いものであったが、短いものでもよい。たとえば、前腕を覆う長さでも足り、さらに短くして手首部分を覆う長さとしてもよい。この場合でも前腕を通る太い動脈と静脈は保冷できるので、人体の体温を下げる効果は期待できる。しかも、袖部分の長さが短いと人が長袖の衣服を着用しているときでも保冷腕袋の着用がしやすくなるという利点がある。
（イ）本考案では保冷部２０に追加でポケットを設けてもよい。このポケットを設けておいて、あらかじめ冷やしておいた保冷剤をポケットに入れることも可能である。この場合、保冷部２０に水を含ませて使用しても良いし、水を含ませずに使用しても良い。
使用する保冷剤は、腕に挿入することを考慮すると、不凍性で冷やした状態でも柔軟に曲がる方が好ましい。
保冷剤をポケットに入れて保冷腕袋Ａを着用することにより、より強力に上肢を冷やすことができ、また、より長時間冷却効果を持続させることができる。
【００２４】
（使用方法）
つぎに、本実施形態の保冷腕袋Ａ、Ｂ、Ｃ、Ｄ、Ｅの使用方法を説明する。
まず、保冷腕袋Ａ、Ｂ、Ｃ、Ｄ、Ｅの保冷部２０の部分を水に浸し、軽くしぼる。つぎに、図５や図７に示すように、保冷腕袋Ａ、Ｂ、Ｃ、Ｄ、Ｅを前腕ｆｍから上腕ｕｍのひじを越えた部分まで通す。
【００２５】
保冷腕袋Ａ、Ｂ、Ｃ、Ｄ、Ｅの保冷部２０は吸水保持性を有するので、水に浸すと水を吸収することができる。保冷部２０に水を含んだ状態で保冷腕袋を腕に挿着すれば、水が蒸発するとその気化熱により前腕ｆｍと上腕ｕｍを冷やすことができる。前腕ｆｍと上腕ｕｍには動脈と静脈が通っているので、大量の血液が効果的に冷却され、屋外での熱中症を防止しやすくなる。
【００２６】
さらに、保冷腕袋Ａ、Ｂ、Ｃ、Ｄ、Ｅを水に浸したとしても、長袖部１０および保冷部２０は速乾性繊維の布でありすぐに乾くので、腕回りがべたつく恐れがない。
【００２７】
図５および図７は、本考案の第２、第６実施形態に係る保冷腕袋Ｂ、Ｅの使用状態を示している。図示の例は、手にハンマーＨを握って野外で労働しているときを示しているが、手に握るものは他の工具や作業具であってもよく、何らかの機械装置の操作機器であってもよい。また、労働中に限らず、野外でのスポーツ、その他の娯楽をしているときにも、保冷腕袋Ｂを着用できる。
【００２８】
上記のように、保冷腕袋Ｂ、Ｅを着用しているとき、上肢ａｍを通る長い動脈と静脈を、水分の蒸発熱で冷却できるので、体内を循環する大量の血液の温度を低下させることができる。このため、野外活動時の熱中症予防に効果がある。
【００２９】
つぎに、本考案の保冷腕袋を利用できる場合を例示すると、ウォーキング、自転車、ドライブ、キャンプ、ゴルフ、テニス、つり、野球、サッカー、ランニングなどのスポーツ、また、各種野外作業、ガーデニングなどの労働などがあるが、もちろん、これらに限ることなく、あらゆる場面で利用することができる。
【符号の説明】
【００３０】
Ａ、Ｂ、Ｃ、Ｄ、Ｅ  保冷腕袋
１０  袖部
１５  手覆部
２０  保冷部
【図１】
0003173338.tif 000003
【図２】
0003173338.tif 000004
【図３】
0003173338.tif 000005
【図４】
0003173338.tif 000006
【図５】
0003173338.tif 000007
【図６】
0003173338.tif 000008
【図７】
0003173338.tif 000009
【図８】
0003173338.tif 000010